(57)【特許請求の範囲】
【請求項１】
撮像素子と、前記撮像素子における露出を制御する露出制御手段と、前記撮像素子出力信号に基いて階調特性の異なる画像信号を生成可能な階調変換手段とを具備し、
前記露出制御手段は前記階調変換手段に入力される画像信号を解析して露出制御のための測光値を算出し、この測光値を所定の露出制御目標値に一致させる露出制御を行なうように構成されたものであり、
当該撮影に際して使用する前記露出制御目標値は、前記階調変換手段が使用する階調変換特性の生成信号域における最大出力レベルに基づいて白余裕を見込んで設定された白基準レベルが当該階調変換特性に関してその入力信号域において対応する値である白基準対応入力値に、被写体標準反射係数を乗じた値に設定されていることを特徴とする撮像装置。
【請求項２】
撮像素子と、前記撮像素子における露出を制御する露出制御手段と、前記撮像素子出力信号に基いて階調特性の異なる画像信号を生成可能な階調変換手段とを具備し、
前記露出制御手段は前記階調変換手段に入力される画像信号を解析して露出制御のための測光値を算出し、この測光値を所定の露出制御目標値に一致させる露出制御を行なうように構成されたものであり、
当該撮影に際して使用する前記露出制御目標値は、前記階調変換手段が使用する階調変換特性のニーポイントが当該階調変換特性に関してその入力信号域において対応する値である白基準対応入力値に、被写体標準反射係数を乗じた値に設定されていることを特徴とする撮像装置。
【請求項３】
撮像素子と、前記撮像素子における露出を制御する露出制御手段と、複数の階調変換特性を選択的に使用することにより、前記撮像素子出力信号に対して階調変換を行う階調変換手段とを具備し、
前記露出制御手段は前記階調変換手段に入力される画像信号を解析して露出制御のための測光値を算出し、この測光値を所定の露出制御目標値に一致させる露出制御を行なうように構成されたものであり、前記露出制御目標値は、前記撮像素子出力信号中の主要被写体に関する輝度レンジの分布が前記階調変換手段による階調変換で白圧縮対象とならない範囲内に収まるように、最大出力レベルに基づいて白余裕を見込んで設定された白基準レベルに対応する入力レベルが互いに異なる複数の階調変換特性が使用される場合にはそれら階調変換特性に応じて可変設定されることを特徴とする撮像装置。
【請求項４】
撮像素子と、前記撮像素子における露出を制御する露出制御手段と、ニーポイントが異なる複数の階調変換特性を選択的に使用することにより、前記撮像素子出力信号に対して階調変換を行う階調変換手段とを具備し、
前記露出制御手段は前記階調変換手段に入力される画像信号を解析して露出制御のための測光値を算出し、この測光値を所定の露出制御目標値に一致させる露出制御を行なうように構成されたものであり、前記露出制御目標値は、前記撮像素子出力信号中の主要被写体に関する輝度レンジの分布が前記階調変換手段による階調変換で白圧縮対象とならない範囲内に収まるように、ニーポイントが互いに異なる複数の階調変換特性が使用される場合にはそれら階調変換特性に応じて可変設定されることを特徴とする撮像装置。
【発明の詳細な説明】
【０００１】
【発明の属する技術分野】
本発明は撮像装置に関し、特に露出制御機能を有する撮像装置に関する。
【０００２】
【従来の技術】
従来より、銀塩カメラ、デジタルカメラのどちらにおいても自動露出制御（ＡＥ）は公知であり、平均測光においては被写体標準反射係数（約１８％）を露出制御目標値とすることが一般的であった。
【０００３】
被写体標準反射係数とは一般被写体に関する被写体レンジの対数的中点を意味するものである。これは数値的には白レベル（拡散反射率が最高の被写体の反射率約９８％を想定）と黒レベル（同最低の被写体の反射率約３．３％を仮定）の対数的中点である１８％に相当することになる。この知見に基づいて、写真技術分野においては、旧くから被写体を代表する標準反射率の数値あるいは評価用の標準反射板の反射率として１８％が採用されている事情がある。
【０００４】
【発明が解決しようとする課題】
しかし、ＣＣＤ等の撮像素子を使用するデジタルカメラでは、ＡＥにおける露出制御目標値は、使用するγ特性によらずに、常に、γ特性の最大入力レベルに被写体標準反射係数を乗じた値が用いられている。この様子を図７に示す。
【０００５】
図７はデジタルカメラで標準的に使用されている０．４５のγ特性を示している。０．４５のγ特性自体は表示装置側の特性をも考慮した時にトータルのγ特性がリニアとなるように決定された階調変換特性であるが、図７では、白圧縮のためのニー特性を持たないγ特性が用いられている。これは、白余裕を見込まずに、出力最大レンジ（例示値２５５）を基準として０．４５のγ特性を規定したものである。この場合は、露出制御目標値を、入力最大レンジ（例示値２５５）に被写体標準反射係数１８％を乗じた値（例示値４６）に設定して、測光値が４６になるようにＡＥ制御を行うことで、出力最大レンジに対応する入力最大レンジの範囲内に主要被写体の輝度レンジ全体を収めることができる。
【０００６】
しかし、このように出力最大レンジのみを基準として露出制御目標値を設定すると、使用する階調変換特性によっては、主要被写体の輝度レンジを良好な再現域に収めることができなくなり、画質劣化要因となるものであった。特に、階調変換特性に白圧縮のためのニー特性を持たせた場合には、上記のような露出制御目標値の設定を行うと、主要被写体の高輝度部分の階調が圧縮されやすくなり画質劣化を招くことになる。この様子を図８に示す。
【０００７】
図８は、出力最大レンジ（例示値２５５）に対して白余裕を見込んで設定された白基準レベル（例示値２１３）をニーポイントとするγ特性を示している。ここでは、ニーポイントまでを０．４５のγ特性とし、ニーポイントに対応する入力レベル２１３よりも高輝度側に対してニー特性を持たせている。ＣＣＤの撮像レンジが十分に大きい場合には、このような白圧縮のためのニー特性を持つ階調変換特性は撮像信号の高輝度側のダイナミックレンジを拡大できるという点で好適な特性である。なお、図８では、入力最大レベルを図７の２倍の５１１としているが、これはＣＣＤの撮像レンジが十分に大きいことを想定した場合の例示値であり、その数値自体に意味を持つものではない。
【０００８】
ところで、出力最大レンジのみを基準として露出制御目標値を設定するという従来の手法を図８のγ特性にそのまま適用すると、露出制御目標値は、出力最大レンジ（２５５）に対応する入力最大レンジ（ここでは例示値５１１）に被写体標準反射係数１８％を乗じた値（例示値９２）に設定されることになる。この場合、９２という入力レベルを中心に主要被写体の低輝度側と高輝度側とが分布することになるため、トータルのγ特性がリニアになるのは入力レベル２１３までの範囲に制限され、拡散反射率が９８％よりも低い主要被写体の高輝度側のかなりの部分（この例では反射率が１８×２１３／９２＝４１．７％以上の部分）については圧縮対象に含まれてしまうことになる。
【０００９】
白基準レベルから出力最大レンジまでの白余裕は、本来は、拡散反射率約９８％を越えるような金属表面や発光体などのハイライト部の再現域として使用されるべきものであるので、上記のような主要被写体に関する高輝度側の圧縮は、画質劣化要因となる。さらに、このことは、従来の露出制御目標値の設定手法では、ＣＣＤの撮像レンジが拡大しても、拡散反射率約９８％を越えるような金属表面や発光体については十分にその再現を行うことができないことを意味している。
【００１０】
本発明は上記事情を考慮してなされたもので、その目的とするところは、露出制御目標値の最適化を図ることにより、高画質な画像を得ることが可能な撮像装置を提供することにある。
【００１１】
【課題を解決するための手段】
上述の課題を解決するため、本発明は、撮像素子と、前記撮像素子における露出を制御する露出制御手段と、前記撮像素子出力信号に基いて階調特性の異なる画像信号を生成可能な階調変換手段とを具備し、前記露出制御手段は前記階調変換手段に入力される画像信号を解析して露出制御のための測光値を算出し、この測光値を所定の露出制御目標値に一致させる露出制御を行なうように構成されたものであり、当該撮影に際して使用する前記露出制御目標値は、前記階調変換手段が使用する階調変換特性の生成信号域における最大出力レベルに基づいて白余裕を見込んで設定された白基準レベルが当該階調変換特性に関してその入力信号域において対応する値である白基準対応入力値に、被写体標準反射係数を乗じた値に設定されていることを特徴とする。
【００１２】
この撮像装置においては、最大出力レベルのみを基準とするのではなく、最大出力レベルに基づいて白余裕を見込んで設定された白基準レベルを基準とし、その白基準レベルに対応する入力信号域の値である白基準対応入力値に、被写体標準反射係数を乗じた値が、露出制御目標値として使用される。したがって、主要被写体の輝度レンジ全体を最大入力レンジではなく、白基準対応入力値の範囲内に収めることができるので、主要被写体の高輝度部分についても良好に再現することができる。さらに、白余裕の部分を主要被写体の白レベルを超える金属表面や発光体などの再現域として利用することができるので、撮像素子の撮像レンジの拡大に伴い広ダイナミックレンジの画像を得ることが可能となる。
【００１３】
また、本発明は、撮像素子と、前記撮像素子における露出を制御する露出制御手段と、前記撮像素子出力信号に基いて階調特性の異なる画像信号を生成可能な階調変換手段とを具備し、前記露出制御手段は前記階調変換手段に入力される画像信号を解析して露出制御のための測光値を算出し、この測光値を所定の露出制御目標値に一致させる露出制御を行なうように構成されたものであり、当該撮影に際して使用する前記露出制御目標値は、前記階調変換手段が使用する階調変換特性のニーポイントが当該階調変換特性に関してその入力信号域において対応する値である白基準対応入力値に、被写体標準反射係数を乗じた値に設定されていることを特徴とする。
【００１４】
このように、ニーポイントが明確な階調変換特性を使用する場合には、最大出力レベルに基づいて白余裕を見込んで設定された白基準レベルの代わりに、そのニーポイントを基準に露出制御目標値を決定することができる。この場合でも、主要被写体の輝度レンジ全体を最大入力レンジではなく、ニーポイントに対応する白基準対応入力値の範囲内に収めることができ、上述の場合と同様の効果を得ることができる。
【００１５】
また、本発明は、撮像素子と、前記撮像素子における露出を制御する露出制御手段と、複数の階調変換特性を選択的に使用することにより、前記撮像素子出力信号に対して階調変換を行う階調変換手段とを具備し、前記露出制御手段は前記階調変換手段に入力される画像信号を解析して露出制御のための測光値を算出し、この測光値を所定の露出制御目標値に一致させる露出制御を行なうように構成されたものであり、前記露出制御目標値は、前記撮像素子出力信号中の主要被写体に関する輝度レンジの分布が前記階調変換手段による階調変換で白圧縮対象とならない範囲内に収まるように、最大出力レベルに基づいて白余裕を見込んで設定された白基準レベルに対応する入力レベルが互いに異なる複数の階調変換特性が使用される場合にはそれら階調変換特性に応じて可変設定されることを特徴とする。
【００１６】
また、さらに本発明は、撮像素子と、前記撮像素子における露出を制御する露出制御手段と、ニーポイントが異なる複数の階調変換特性を選択的に使用することにより、前記撮像素子出力信号に対して階調変換を行う階調変換手段とを具備し、前記露出制御手段は前記階調変換手段に入力される画像信号を解析して露出制御のための測光値を算出し、この測光値を所定の露出制御目標値に一致させる露出制御を行なうように構成されたものであり、前記露出制御目標値は、前記撮像素子出力信号中の主要被写体に関する輝度レンジの分布が前記階調変換手段による階調変換で白圧縮対象とならない範囲内に収まるように、ニーポイントが互いに異なる複数の階調変換特性が使用される場合にはそれら階調変換特性に応じて可変設定されることを特徴とする。
【００１７】
このように、最大出力レベルに基づいて白余裕を見込んで設定された白基準レベルに対応する入力レベルが互いに異なる複数の階調変換特性が使用される場合、またはニーポイントが互いに異なる複数の階調変換特性が使用される場合には、主要被写体に関する輝度レンジの分布が白圧縮対象とならない範囲内に収まるように、露出制御目標値を使用される階調変換特性に応じて可変設定することにより、主要被写体の輝度レンジを、使用する階調変換特性によらずに常に最適な再現域に収めることが可能となる。
【００１８】
【発明の実施の形態】
以下、図面を参照して本発明の実施形態を説明する。
図１は、本発明の一実施形態に係わる電子カメラの構成を示すブロック図である。
【００１９】
図中１０１は各種レンズからなる撮像レンズ系、１０２はレンズ系１０１を駆動するためのレンズ駆動機構、１０３はレンズ系１０１の絞り及びシャッタ装置を制御するための露出制御機構、１０４はローパス及び赤外カット用のフィルタ、１０５は被写体像を光電変換するためのＣＣＤカラー撮像素子、１０６は撮像素子１０５を駆動するためのＣＣＤドライバ、１０７はＡ／Ｄ変換器等を含むプリプロセス回路、１０８はγ変換などを初めとする各種のデジタル処理を行うためのデジタルプロセス回路、１０９はカードインターフェース、１１０はメモリカード、１１１はＬＣＤ画像表示系を示している。
【００２０】
また、図中の１１２は各部を統括的に制御するためのシステムコントローラ（ＣＰＵ）、１１３は各種ＳＷからなる操作スイッチ系、１１４は操作状態及びモード状態等を表示するための操作表示系、１１５はレンズ駆動機構１０２を制御するためのレンズドライバ、１１６は発光手段としてのストロボ、１１７は露出制御機構１０３及びストロボ１１６を制御するための露出制御ドライバ、１１８は各種設定情報等を記憶するための不揮発性メモリ（ＥＥＰＲＯＭ）を示している。
【００２１】
本実施形態の電子カメラにおいては、システムコントローラ１１２が全ての制御を統括的に行っており、露出制御機構１０３とＣＣＤドライバ１０６によるＣＣＤ撮像素子１０５の駆動を制御して露光（電荷蓄積）及び信号の読み出しを行い、それをプリプロセス回路１０７を介してデジタルプロセス回路１０８に取込んで、デジタルプロセス回路１０８内のγ補正回路１０８ａにて階調変換などの各種信号処理を施した後にカードインターフェース１０９を介してメモリカード１１０に記録するようになっている。γ補正回路１０８ａによる階調変換ではシステムコントローラ１１２の制御の下、複数種のγ特性を選択的に使用することができる。これは、例えば使用者の好みやシーンの状況に応じて最適な階調設定を選択可能にするためである。
【００２２】
ここまでの基本的な構成は従来一般的な電子カメラと同様であるが、本実施形態ではこれに加えて、使用するγ特性に合わせて自動露出制御（ＡＥ）のための露出制御目標値を最適化するための機能が設けられている。これを実現するため、システムコントローラ１１２には、γ補正回路１０８ａに入力される以前のＣＣＤ１０５からの撮像信号出力を解析してＡＥのための測光値を算出する測光部１１２ａと、測光値が露出制御目標値に一致されるように露出制御を行うためのＡＥ制御部１１２ｂと、露出制御目標値を設定するための露出制御目標値設定部１１２ｃとが設けられている。この露出制御目標値設定部１１２ｃは、γ補正回路１０８ａの生成信号域における最大出力レベルではなく、その最大出力レベルから白余裕を見込んで設定された白基準レベルを基準に露出制御目標値を決定するものである。
【００２３】
本実施形態のカメラでは、使用者によるシャッタートリガー操作により通常のカメラと全く同様の撮像動作が開始される。すなわち、まず予備トリガー（２段トリガースイッチの１段目）によって測光情報の取得およびそれに基づく露出制御を行なう。測光は平均測光（中央重点平均測光を含む）により行われ、測光値（撮像信号の信号レベル平均値）が露出制御目標値に等しくなるように、露出制御される。露出制御では、測光値と露出目標値とに基づいて最適な露出レベルを算出する演算処理、または測光値と露出目標値との差分に対応する信号によって露出レベルを増減させるフィードバック制御が用いられる。
【００２４】
このように撮像信号の信号レベル平均値が露出制御目標値に等しくなるように露出制御した場合、フラット（無パターン）被写体の場合に得られる出力値が、露出制御目標値に対応することになる。なお、通常の露出条件における主要被写体を想定する場合は、このようなフラット被写体をもって代表あるいは代用し得ることは周知である。
【００２５】
次に、γ補正回路１０８ａで使用されるγ特性と露出制御目標値との関係について説明する。
【００２６】
図２は、出力最大レンジ（例示値２５５）に対して白余裕を見込んで設定された白基準レベル（例示値２１３）をニーポイントとするγ特性を示している。テレビジョン映像信号の規格であるＮＴＳＣに従えば、白基準レベルは、出力最大レンジに１００／１２０を乗じた値とすることが好適である。（より正確には、ＮＴＳＣ規格自体においては、電圧値０．７１４Ｖに対応するいわゆる１００％（１００ＩＲＥ）レベルまでが階調管理領域（すなわち階調特性主要部）であり、それを超えるレベル領域は規定されていないが、ＮＴＳＣ信号を対象とする現実の多くの画像システムにおいてこの１００％超領域を約２０％程度見込んで余裕領域（白余裕）として使用している事実がある。この事実はデジタルカメラ用の信号規格として唯一このＮＴＳＣ信号電圧レベルとデジタル信号レベルの対応付けを規定したＪＥＩＤＡ  ＳＩＳＲＩＦ規格においても白余裕２０％を見込んで、１００％レベルの８ビットデジタル値を２１３と規定していることによっても裏付けられる。 ）
図２では、白基準レベルに相当するニーポイントまでをγ＝１のリニアな特性とし、そのニーポイントに対応する入力レベル２１３よりも高輝度側に対してニー特性を持たせている。入力レベル２１３から入力最大レベル５１１の高輝度部分の階調は圧縮されることになる。
【００２７】
さて、図２のようなγ特性を使用する場合には、露出制御目標値は、生成信号域における最大出力レベル２５５ではなく、その最大出力レベルから白余裕を見込んで設定された白基準レベル２１３、つまりニーポイントを基準に決定される。すなわち、ニーポイントに対応する入力信号域の値である白基準対応入力値２１３に被写体標準反射係数１８％を乗じた値である３８が、露出制御目標値に設定される。この場合、主要被写体の輝度レンジ（拡散反射率約３．３％〜約９８％）が白基準対応入力値２１３までの範囲内で分布することになるので、主要被写体の高輝度部分についても良好に再現することができる。さらに、白余裕の部分を主要被写体の白レベルを超える金属表面や発光体などの再現域として利用することができるので、撮像素子１０５の撮像レンジの拡大に伴い広ダイナミックレンジの画像を得ることが可能となる。
【００２８】
なお、本発明者の検討によれば、実際の撮影においては上記最低拡散反射率の数値を４％と仮定した場合の対数的中点値２０％を被写体標準反射係数として採用した方が良い結果をもたらす場合も多く、この意味で露出制御ポイントの設定値としては１８〜２０％程度が最良の結果を得るための設定目標値（狙い値）ということができる。すなわち、本発明における標準反射係数の数値例としては１８〜２０％を挙げるものである。図２の例では、露出制御目標値は３８〜４３となる。
【００２９】
図３は、出力最大レンジ（例示値２５５）に対して白余裕を見込んで設定された白基準レベル（例示値２１３）までを出力ｙ＝２１３を基準とした０．４５のγ特性とし、そのニーポイントに対応する入力レベル２１３（白基準対応入力値）よりも高輝度側に対してニー特性を持たせている。入力レベル２１３から入力最大レベル５１１の高輝度部分の階調は圧縮されることになる。
【００３０】
この場合、ニーポイントに対応する入力信号域の値である白基準対応入力値２１３に被写体標準反射係数１８％〜２０％を乗じた値である３８〜４３が、露出制御目標値に設定される。この露出制御目標値は図２と同じであるが、これは図２および図３の階調変換特性はどちらもニーポイントに対応する入力レベルが２１３であるからである。
【００３１】
図４は出力最大レンジ（例示値２５５）に対して白余裕を見込んで設定された白基準レベル（例示値２１３）までを出力ｙ＝２５５を基準とした０．４５のγ特性とし、そのニーポイントに対応する入力レベル１７２（白基準対応入力値）よりも高輝度側に対してニー特性を持たせている。入力レベル１７２から入力最大レベル５１１の高輝度部分の階調は圧縮されることになる。
【００３２】
この場合、ニーポイントに対応する入力信号域の値である白基準対応入力値１７２に被写体標準反射係数１８％〜２０％を乗じた値である３１〜３４が、露出制御目標値に設定される。主要被写体の輝度レンジ（拡散反射率約３．３％〜約９８％）は白基準対応入力値１７２までの範囲内で分布することになる。
【００３３】
このように、本実施形態では、使用するγ特性毎に最適な露出制御目標値が設定されるので、ニーポイントが異なる複数のγ特性を選択的に使用する場合には、主要被写体の輝度レンジ全体がニーポイントまでの範囲内に収まるように、使用するγ特性に応じて露出制御目標値が変更されることになる。
【００３４】
なお、γ特性によってはニーポイントが明確でない場合も多いが、その場合には白基準レベルがニーポイントに相当することになるものである。
【００３５】
次に、図５のフローチャートを参照して、本実施形態の動作を説明する。
【００３６】
まず予備トリガーによって、平均測光（中央重点平均測光を含む）および測光値の算出が行われる（ステップＳ１０１，Ｓ１０２）。上記測光は、ディジタルプロセス１０８に取り込んだ情報をシステムコントローラ１１２内の測光部１１２ａが解析（演算）することによって行われ、この測光結果に基づき測光値（撮像信号の信号レベル平均値）が算出される。次いで、システムコントローラ１１２内のＡＥ制御部１１２ｂが、測光値が露出制御目標値に等しくなるように露出条件を設定して露出制御を行う（ステップＳ１０３，Ｓ１０４）。ただし、この際の露出制御目標値は、システムコントローラ１１２内の露出制御目標値設定部１１２ｃにより、前述したようにγ補正回路１０８ａで使用されるγ特性のニーポイントを基準に設定されている。よって、測光値が露出制御目標値に等しくなるように露出条件を設定することにより、主要被写体の輝度レンジがγ補正回路１０８ａで使用されるγ特性のニーポイントまでの範囲内に収まるような露出制御が行われることになる。
【００３７】
露出制御はシステムコントローラ１１２内のＡＥ制御部１１２ｂが露出制御ドライバ１１７を介して露出制御機構１０３あるいはストロボ１１５を駆動して行なう。シャッタとして素子シャッタ機能を使用する場合はＣＣＤドライバ１０６も使用する（電荷蓄積時間制御）。
【００３８】
続いて本トリガー（２段目）操作が行われると、適正露出条件下で本撮像が行われ、ＣＣＤ撮像素子１０５の本露光および信号読み出しが行われる（ステップＳ１０５）。そして、デジタルプロセス回路１０８に取り込まれた撮像画像信号に対してγ補正回路１０８ａにより階調変換処理が施された後に（ステップＳ１０６）、メモリカード１１０に記録される。
【００３９】
図６には、使用するγ特性が切り替えられたときに行われる露出制御目標値の可変設定動作の手順が示されている。
【００４０】
例えばユーザによるスイッチ操作などによって使用するγ特性の切り換えが行われると（ステップＳ２０１）、露出制御目標値設定部１１２ｃは、切り換え先の新たなγ特性から、白基準レベル（ニーポイント）に対応する白基準対応入力値を調べる（ステップＳ２０２）。そして、露出制御目標値設定部１１２ｃは、白基準対応入力値と被写体標準反射係数とに基づいて新たな露出制御目標値を設定する（ステップＳ２０３）。
【００４１】
このように本実施形態によれば、使用するγ特性に合わせて露出制御目標値を可変設定する仕組みを設けることにより、主要被写体の輝度レンジを常に良好な再現域に収めることが可能となる。
【００４２】
なお、本発明は上述した実施形態に限定されるものではない。上述の実施形態においては、デジタルスチルカメラを例示して説明したが、デジタルムービーに対しても同様にして適用することができる。
【００４３】
また、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４４】
【発明の効果】
以上説明したように、本発明によれば、露出制御目標値の最適化を図ることにより、高画質な画像を得ることが可能となる。
【図面の簡単な説明】
【図１】本発明の一実施形態に係わる電子カメラの構成を示すブロック図。
【図２】同実施形態の電子カメラで使用される階調特性と露出制御目標値との関係を示す図。
【図３】同実施形態の電子カメラで使用される階調特性と露出制御目標値との関係を示す第２の図。
【図４】同実施形態の電子カメラで使用される階調特性と露出制御目標値との関係を示す第３の図。
【図５】同実施形態の電子カメラの動作を示すフローチャート。
【図６】同実施形態の電子カメラにおける露出制御目標値の可変設定動作を説明するためのフローチャート。
【図７】従来の階調変換特性と露出制御目標値との関係を示す第１の図。
【図８】従来の階調変換特性と露出制御目標値との関係を示す第２の図。
【符号の説明】
１０１…レンズ系
１０２…レンズ駆動機構
１０３…露出制御機構
１０４…フィルタ系
１０５…ＣＣＤカラー撮像素子
１０６…ＣＣＤドライバ
１０７…プリプロセス部
１０８…デジタルプロセス部
１０９…カードインターフェース
１１０…メモリカード
１１１…ＬＣＤ画像表示系
１１２…システムコントローラ（ＣＰＵ）
１１２ａ…測光部
１１２ｂ…ＡＥ制御部
１１２ｃ…露出制御目標値設定部
【図１】
0004323105.tif 000002
【図２】
0004323105.tif 000003
【図３】
0004323105.tif 000004
【図４】
0004323105.tif 000005
【図５】
0004323105.tif 000006
【図６】
0004323105.tif 000007
【図７】
0004323105.tif 000008
【図８】
0004323105.tif 000009